(57)【要約】 【課題】  待機時間が短い場合にも画像形成を再開する際には当初から現像ローラの外周面上のトナーが均一になるようにして、高品質の画像形成を行うことのできる画像形成装置を提供すること。【解決手段】  同色のブラック（Ｋ）のトナーを収容して感光体ドラム３２ａ上の静電潜像を現像する現像カートリッジ３７を現像ロータリーユニット３３内に複数収納する画像形成装置において、待機状態に移行する前に、現像ロータリーユニットが反時計回りに９０度回転したときに、現像カートリッジの不揮発性メモリ４６内の情報を書き換えるのと並行して、感光体ドラムに対面する現像位置の現像ローラを空回転させてその外周面４２ａ上のトナーを補給・リフレッシュさせる。【選択図】      図５
2006126555.tif 000002
【特許請求の範囲】
【請求項１】
画像データに基づく静電潜像が表面に形成されて該静電潜像を現像したトナー像を担持
する担持体と、該担持体表面の静電潜像にトナーを選択的に付着させて該静電潜像を現像
する現像器と、該現像器の複数を回転軸の周囲に挿脱可能に収納して該回転軸を中心に回
転することによりいずれかの現像器を担持体表面に対向させる現像ロータリーユニットと
、受け取った画像データに応じて担持体や現像器などの装置各部の駆動を制御する制御部
と、を備えて、担持体表面のトナー像を記録媒体に転写して定着させることにより単色画
像を形成する画像形成装置であって、
現像器は、同色のトナーを収容する容器と、担持体に外周面を対面させつつ回転するこ
とにより該外周面上のトナーを該担持体に付着させる現像ローラと、該現像ローラの回転
時に当該現像ローラの外周面に容器内のトナーを供給する供給手段と、各種情報を書き換
え可能に保持するメモリと、を有して、
制御部は、いずれかの現像器の現像ローラが担持体に対面する際に、他の現像器のメモ
リ内の情報を書き換える情報書換手段を備えて、受け取った最終の画像データの画像形成
終了後に当該画像形成に使用した現像器のメモリ内の情報の書き換え動作を行うのと並行
して、担持体に対面する現像器の現像ローラを空回転させることを特徴とする画像形成装
置。
【請求項２】
前記制御部は、画像形成終了後に受け取った画像データの画像形成では、当該先の画像
形成終了後に現像ローラを空回転させた現像器を使用することを特徴とする請求項１に記
載の画像形成装置。
【請求項３】
前記情報書換手段は、現像ロータリーユニットが回転して隣接する現像器が担持体に対
面する際に、直前に該担持体に対面していた現像器のメモリ内の情報を書き換えるように
配置されていることを特徴とする請求項１または２に記載の画像形成装置。
【請求項４】
前記制御部は、トナーを劣化させる情報を取得する手段を備えて、該トナーの劣化情報
に基づいて現像器の現像ローラを空回転させることを特徴とする請求項１から３のいずれ
かに記載の画像形成装置。
【請求項５】
前記制御部は、現像器の現像ローラを予め設定されている設定回数だけ空回転させるこ
とを特徴とする請求項１から４のいずれかに記載の画像形成装置。
【発明の詳細な説明】
【技術分野】
【０００１】
本発明は、画像形成装置に関し、詳しくは、画像形成の再開当初から高品質の画像形成
を行うことができるものに関する。
【背景技術】
【０００２】
従来より、感光体により作製した担持体の表面に静電潜像を露光形成する電子写真記録
方式の画像形成装置が知られており、この画像形成装置では、その静電潜像をトナー現像
して担持させた担持体表面のトナー像を、記録用紙などの記録媒体に転写して画像形成す
る。この静電潜像は、担持体表面に対面する現像ローラを回転させてそのローラの外周面
上のトナーを乗り移らさせて付着させることによりトナー現像するようになっており、こ
の現像ローラには、トナーの収容空間内で回転する供給ローラが圧接回転することにより
トナーを供給する。
【０００３】
この電子写真記録方式を採用する画像形成装置は、担持体に対面させる現像ローラや供
給ローラと共にトナーを収容する容器を備える現像カートリッジ（現像器）が挿脱可能に
装着されており、この現像カートリッジを現像ロータリーユニット内に複数収納可能に構
成された装置も存在する。この画像形成装置では、その現像ロータリーユニットを回転軸
を中心に回転させることにより、担持体に現像ローラを対面させる現像位置の現像カート
リッジを切り換えることができる。
【０００４】
このことから、このような画像形成装置は、担持体表面にトナーを付着させる現像カー
トリッジとして、イエロー（Ｙ）、マゼンタ（Ｍ）、シアン（Ｃ）、ブラック（Ｋ）のト
ナーをそれぞれ収容する現像カートリッジを現像ロータリーユニットに収納（装着）可能
に構成することにより、現像カートリッジを順次に切り換えて各色トナーを重ねたカラー
画像を形成することができる（例えば、特許文献１参照）。なお、この構成では、一色の
トナーによる単色画像、例えば、ブラック（Ｋ）のトナーによる白黒のモノクロ画像（以
下、単にモノクロ画像ともいう）を形成することができることはいうまでもない。
【０００５】
また、このようにロータリーユニットを備える画像形成装置には、同色（主にブラック
）のトナーを収容する複数の現像カートリッジを装着可能に構成することが提案されてい
る。この構成では、トナー切れなどのタイミング毎にロータリーユニットを回転させて使
用する現像カートリッジを順次に切り換えることにより、現像カートリッジを交換するト
ナーの補充作業回数を低減して長期にわたって単色画像の形成を継続することを実現する
ことができる（例えば、特許文献２、３参照）。
【特許文献１】特開２００４−１２６０８９号公報
【特許文献２】特開２００２−３５１１９０号公報
【特許文献３】特開２００３−３１６１０６号公報
【発明の開示】
【発明が解決しようとする課題】
【０００６】
しかしながら、このような従来の電子写真記録方式を採用する画像形成装置にあっては
、画像形成動作が終了した後の待機時間がある程度長く、現像ローラを回転させない状態
のまま放置されると、現像ローラの外周面のうち、担持体表面に対面する状態になって外
部に露出する領域と、現像カートリッジの容器内に位置する領域とで、その外周面上のト
ナーの状態に差が生じる。このために、次の画像形成動作を再開したときには、露出領域
と容器内領域に対応する、言い換えると、現像ローラの回転周期に一致する濃度ムラが画
像内に発生して、画像品質に問題が発生する可能性があった。
【０００７】
この問題を解消するために、上記文献１では、前回の画像形成動作終了からの経過時間
を計時して、その経過時間が設定時間以上となったときに、現像ローラを空回転させてリ
フレッシュすることにより、現像ローラの外周面上のトナーを均一の品質にすることが提
案されている。
【０００８】
この上記文献１に記載の画像形成装置では、長めの待機時間による画像品質の低下を解
消することが実現できたが、その待機時間が短時間の場合にも、対策を講じた方がよいこ
とが判明した。
【０００９】
まず、現像ローラは、現像カートリッジ内で回転する供給ローラによりその外周面上に
トナーが繰り返し供給されつつ帯電されることにより、担持体表面の静電潜像にそのトナ
ーを付着させる現像動作を継続することから、その外周面上のトナーは所望の帯電電圧に
飽和された状態となっている。
【００１０】
この現像ローラの外周面上のトナーは、担持体表面の静電潜像に選択的に付着させるこ
とから、担持体表面の静電潜像に対応する箇所であったか否かでムラが生じるが、そのム
ラを解消するように、新しいトナーが補給される。このとき、補給されるトナーは、供給
ローラの周囲に存在していることから、現像動作が繰り返されている間には、まったく離
れた位置のものよりも現像ローラの外周面上のトナーに近い帯電状態になっている。この
ため、現像ローラは、外周面上のトナーを繰り返し補給することにより均等な状態にして
担持体表面の静電潜像を均一な品質で現像することができる。
【００１１】
しかるに、最後の現像動作を行ったときに、現像ローラの外周面上のトナーにムラがあ
る状態で停止されると、その外周面上に残っていたトナーの状態と、次の画像形成で現像
動作を再開したときにその現像ローラの外周面上のムラを解消するように補給されたトナ
ーの状態との間に差が生じる。すなわち、担持体表面に対面する現像ローラの外周面上の
トナーは電気的に浮いた状態で放置されるが、現像カートリッジ内のトナーは周囲に他の
大量のトナーが存在する状態であることから、短時間の放置でも帯電の程度に差が生じて
しまっていることが想定される。この状態では、現像動作を再開したとしても、現像ロー
ラの外周面上のトナーにより、担持体表面の静電潜像を均一な品質で現像することができ
なくなる。
【００１２】
このトナーの不均一現象は、色の異なるトナーの種別に応じた特性によって差が生じる
傾向にあり、イエロー、マゼンタ、シアン、ブラックのトナーのうち、特に、モノクロ単
色画像を連続印字する頻度の高いブラックのトナーは、カーボンが含まれていて導電性に
優れることから他の色のトナーよりも不均一になり易く、そのカーボンの含有率を上げる
ほどその不均一は顕著になるようである。
【００１３】
この導電特性の差異から、ブラックのトナーは、他の色のトナーとは帯電電圧を異なら
せており、帯電電圧が飽和するまでに他の色のトナーの場合よりも多く現像ローラを回転
させる必要がある。このことから、ブラックのトナーの場合には、このトナーの不均一現
象が解消されるまでに必要な現像ローラの回転数は、例えば、他の色のトナーの場合には
1回転でよいところを、ブラックのトナーの場合には２回転以上させたほうが良いなどと
多くなる傾向にある。
【００１４】
ここで、このトナーの不均一現象が現れないようにする一案としては、現像ローラの外
周面上のトナーの帯電効率（電圧）を上げることが考えられるが、この帯電電圧を無闇に
上げてしまうと、現像性が悪化し、濃度ムラなどの画像劣化を引き起こす結果となり、対
策としては適さない。
【００１５】
また、このトナーの不均一現象は、トナーの帯電特性に依って発生する可能性が変わる
ことから、周囲の環境の温度や湿度、また、トナーの劣化程度などのような他の要因によ
っても生じ易くなる。
【００１６】
そこで、本発明は、待機時間が短い場合にも画像形成を再開する際には当初から現像ロ
ーラの外周面上のトナーが均一になるようにして、高品質の画像形成を行うことのできる
画像形成装置を提供することを目的とする。
【課題を解決するための手段】
【００１７】
上記課題を解決する画像形成装置の第１の発明は、画像データに基づく静電潜像が表面
に形成されて該静電潜像を現像したトナー像を担持する担持体と、該担持体表面の静電潜
像にトナーを選択的に付着させて該静電潜像を現像する現像器と、該現像器の複数を回転
軸の周囲に挿脱可能に収納して該回転軸を中心に回転することによりいずれかの現像器を
担持体表面に対向させる現像ロータリーユニットと、受け取った画像データに応じて担持
体や現像器などの装置各部の駆動を制御する制御部と、を備えて、担持体表面のトナー像
を記録媒体に転写して定着させることにより単色画像を形成する画像形成装置であって、
現像器は、同色のトナーを収容する容器と、担持体に外周面を対面させつつ回転すること
により該外周面上のトナーを該担持体に付着させる現像ローラと、該現像ローラの回転時
に当該現像ローラの外周面に容器内のトナーを供給する供給手段と、各種情報を書き換え
可能に保持するメモリと、を有して、制御部は、いずれかの現像器の現像ローラが担持体
に対面する際に、他の現像器のメモリ内の情報を書き換える情報書換手段を備えて、受け
取った最終の画像データの画像形成終了後に当該画像形成に使用した現像器のメモリ内の
情報の書き換え動作を行うのと並行して、担持体に対面する現像器の現像ローラを空回転
させることを特徴とするものである。
【００１８】
この発明では、待機状態に移行する前に、現像器のメモリ内の情報の書換動作と並行し
て、他の現像器の現像ローラが空回転される。したがって、現像ローラの最終回転付近で
トナー現像を行っていてその外周面上のトナーにその厚さや帯電量などにムラがある場合
でも、その現像ローラの空回転により、その外周面上に均等なトナーを付着させることが
でき、トナー現像を高品質に行い得る状態にすることができる。
【００１９】
上記課題を解決する画像形成装置の第２の発明は、上記第１の発明の特定事項に加え、
前記制御部は、画像形成終了後に受け取った画像データの画像形成では、当該先の画像形
成終了後に現像ローラを空回転させた現像器を使用することを特徴とするものである。
【００２０】
この発明では、待機後の画像形成時には、待機状態に移行する直前に空回転させた現像
ローラが担持体に対面されて画像形成される。したがって、外周面上に均等なトナーが付
着されてその厚さや帯電量などのムラが解消された現像ローラにより、次に受け取った画
像データに基づいて形成した静電潜像を高品質にトナー現像することができる。
【００２１】
上記課題を解決する画像形成装置の第３の発明は、上記第１または第２の発明の特定事
項に加え、前記情報書換手段は、現像ロータリーユニットが回転して隣接する現像器が担
持体に対面する際に、直前に該担持体に対面していた現像器のメモリ内の情報を書き換え
るように配置されていることを特徴とするものである。
【００２２】
この発明では、担持体に対面させる現像ローラを一つずらすように現像ロータリーユニ
ットを回転させるだけで、待機前のメモリ内への情報の書換動作と現像ローラの空回転を
実行することができ、その空回転させた現像ローラを次の画像形成時に使用する場合には
、使用する現像器を一つずつずらして収容するトナーを消費することができる。したがっ
て、待機後に使用する現像ローラを空回転させてその外周面上に均等なトナーを付着させ
て高品質なトナー現像を行うとともに、その複数の現像器内の収容トナーを均等に消費す
ることができる。
【００２３】
上記課題を解決する画像形成装置の第４の発明は、上記第１から第３のいずれかの発明
の特定事項に加え、前記制御部は、トナーを劣化させる情報を取得する手段を備えて、該
トナーの劣化情報に基づいて現像器の現像ローラを空回転させることを特徴とするもので
ある。
【００２４】
この発明では、周囲環境の温湿度や現像ローラの回転数等が予め設定されている設定値
を超えるなど、トナーの帯電特性を劣化させる閾値を超えている場合に、次の画像形成開
始前に、現像ローラが空回転される。したがって、無闇に現像ローラを空回転させること
なく、トナーの帯電特性が劣っているために、現像ローラの外周面上のトナーの厚さや帯
電量などに次のトナー現像の品質に影響のあるムラが生じている場合でも、その現像ロー
ラを空回転させて均等なトナーが付着している状態にすることができ、トナー現像を高品
質に行い得る状態にすることができる。
【００２５】
上記課題を解決する画像形成装置の第５の発明は、上記第１から第４のいずれかの発明
の特定事項に加え、前記制御部は、現像器の現像ローラを予め設定されている設定回数だ
け空回転させることを特徴とするものである。
【００２６】
この発明では、次の画像形成開始前に、現像ローラを設定回数だけ空回転させることが
できる。したがって、現像ローラの外周面上のトナーの厚さや帯電量などにムラが生じて
いる場合でも、そのムラを解消することができる回数以上、その現像ローラを空回転させ
ることができ、その現像ローラの外周面上に均等なトナーを付着させて、トナー現像を高
品質に行い得る状態にすることができる。
【発明の効果】
【００２７】
このように本発明によれば、待機時の現像ローラの外周面上のトナーに、次のトナー現
像の品質に影響のあるムラが生じている可能性がある場合に、その現像ローラを空回転さ
せるので、その現像ローラの外周面上に均等なトナーを付着させることができる。したが
って、待機時間が短い場合でも、次の画像形成開始当初から担持体表面の静電潜像を高品
質にトナー現像することができ、信頼性高く高品質の画像形成を行うことができる。
【発明を実施するための最良の形態】
【００２８】
以下、本発明の最良の実施形態を図面に基づいて説明する。図１〜図４は本発明に係る
画像形成装置の一実施形態を示す図である。
【００２９】
図１および図２において、画像形成装置は、文字等の画像を作成・出力する例えば、パ
ーソナルコンピュータＰＣに接続して利用するものであり、そのパーソナルコンピュータ
ＰＣに接続された制御ユニット１０が、用紙搬送装置２０および画像記録装置３０を統括
制御することにより、記録用紙（記録媒体）に画像を形成してプリントアウトする。
【００３０】
制御ユニット１０は、装置本体内に搭載される回路基板上に構築されたコントローラ部
１１およびエンジン制御部１２により構成されており、これらは予め準備されているプロ
グラムに従って各種のデータ処理制御や装置各部の駆動制御を実行する。
【００３１】
簡単に説明すると、コントローラ部１１は、不図示のＣＰＵがメモリ内に格納されてい
る処理プログラムに従って各種処理手順を実行することにより、パーソナルコンピュータ
ＰＣのプリンタドライバとの間で印字命令などの各種情報をやり取りするとともに、記録
用紙に印字などして画像形成するテキスト等の画像データを受け取って不図示のメモリ内
に一時記憶する。このコントローラ部１１は、パーソナルコンピュータＰＣから受け取る
画像データ（画像情報信号）がレッド（Ｒ）、グリーン（Ｇ）、ブルー（Ｂ）の所謂、Ｒ
ＧＢデータであることから、これらを印刷可能なイエロー（Ｙ）、マゼンダ（Ｍ）、シア
ン（Ｃ）、ブラック（Ｋ）の所謂、ＹＭＣＫデータの画像データに変換しつつ、メモリ内
から読み出してエンジン制御部１２に受け渡す。
【００３２】
エンジン制御部１２は、ＣＰＵ１３がＲＯＭ１４内に格納されている制御プログラムに
従って、コントローラ部１１から例えば、ページ単位で画像データを受け取って本体メモ
リ１５内に一時記憶するとともに、ＲＡＭ１６をワークエリアとして使用しつつ用紙搬送
装置２０および画像記録装置３０との間で各種情報をやり取りすることにより、その画像
データに基づく画像を記録用紙に形成する。また、このときに、ＣＰＵ１３は、この画像
形成制御を実行する際には、内蔵するタイマー機能（計時手段）１３ａにより各種処理時
間などを計時することにより、装置各部を最適に動作させる。
【００３３】
なお、図２中、Ｉ／Ｏインターフェース１７は、各種情報をやり取り可能に、コントロ
ーラ部１１、用紙搬送装置２０および画像記録装置３０と、エンジン制御部１２と、の間
を接続している。Ｄ／Ａコンバータ１８およびＡ／Ｄコンバータ１９は、エンジン制御部
１２がコントローラ部１１、用紙搬送装置２０および画像記録装置３０との間でやり取り
するその各種情報をそれぞれで処理することができるように、デジタル信号（Ｄ）をアナ
ログ信号（Ａ）に変換したり、アナログ信号をデジタル信号に変換する。
【００３４】
用紙搬送装置２０は、用紙カセット２１、排紙テーブル２２、ピックアップローラ２３
、搬送ローラ対２４、レジストローラ対２５、切換ローラ対２６、排紙ローラ対２７、お
よび、反転ローラ対２８、２９に加えて、画像記録装置３０の構成要素でもある中間転写
ベルト３４と、転写ローラ３５と、定着ローラ対３６とにより構築されている。この用紙
搬送装置２０は、用紙カセット２１内に積載する複数枚の記録用紙を一枚ずつ分離・搬送
して画像記録装置３０による画像の記録形成位置Ｐ１に給送することにより、その記録用
紙の片面側または両面側に受け取った文字等の画像データを記録形成させた後に、この画
像形成済みの記録用紙を装置外に搬出して排紙テーブル２２上に積載する。
【００３５】
簡単に説明すると、ピックアップローラ２３は、用紙カセット２１内の昇降板２１ａ上
に積載されている記録用紙に圧接回転することにより、その記録用紙を引き出すとともに
不図示の分離手段と協働して一枚ずつに分離し搬送経路ｆに給送する。搬送ローラ対２４
は、その記録用紙を挟持搬送して下流側のレジストローラ対２５のニップ部に先端を突き
当てることによりスキューを矯正する。このレジストローラ対２５は、その記録用紙を画
像記録装置３０の動作に同期するように画像の記録形成位置Ｐ１に挟持して給送する。
【００３６】
この画像の記録形成位置Ｐ１では、中間転写ベルト３４と転写ローラ３５が、給送され
てきた記録用紙を挟持しつつ回転することにより搬送するとともに、後述する画像記録装
置３０において作像されてその中間転写ベルト３４に一次転写されたトナー画像をその記
録用紙の一面側に二次転写することにより画像を記録形成する。また、定着ローラ対３６
が、その記録用紙を挟持しつつ回転することによりさらに下流側へと搬送するとともに、
その記録用紙上に画像を定着させる。
【００３７】
この後に、切換ローラ対２６および排紙ローラ対２７は、その定着ローラ対３６からの
記録用紙を排紙テーブル２２上に搬出して積載する。これにより、記録用紙は、一面側を
画像の記録形成面として、画像記録装置３０による画像の記録形成位置Ｐ１に給送されて
片面に画像形成された後に、排紙テーブル２２上に排紙される。
【００３８】
このときに、用紙搬送装置２０は、その記録用紙の両面に画像形成する両面モードがエ
ンジン制御部１２に指示されている場合には、排紙ローラ対２７が排紙テーブル２２上に
搬出した記録用紙の後端部を挟持する位置で一時停止した後に切換ローラ対２６と共に逆
転駆動することにより、片面側に画像を記録形成した記録用紙を反転経路ｒに送り出す。
【００３９】
この後に、反転ローラ対２８、２９は、その記録用紙を挟持して反転経路ｒ内に通紙・
搬送することにより、片面側への画像形成時における後端側を逆に先端側として、表裏を
反転させた記録用紙を搬送経路ｆに再度給送してレジストローラ対２５に受け渡す。これ
により、記録用紙は、他面側（画像の記録形成されていない一面側）を画像の記録形成面
として、画像記録装置３０による画像の記録形成位置Ｐ１に再度給送されて両面に画像形
成された後に、排紙テーブル２２上に排紙される。
【００４０】
一方、画像記録装置３０は、露光ユニット３１と、感光体カートリッジ３２と、現像ロ
ータリーユニット３３と、中間転写ベルト３４と、転写ローラ３５と、定着ローラ対３６
と、を備えている。この画像記録装置３０は、用紙搬送装置２０により搬送されて画像の
記録形成位置Ｐ１に給送されてきた記録用紙の片面側または両面側に、受け取った文字等
の画像データを電子写真方式により記録形成する。
【００４１】
簡単に説明すると、露光ユニット３１は、内装するレーザ光走査装置（ポリゴンミラー
）３１ａが受け取った画像データに基づいて感光体カートリッジ３２内の感光体ドラム（
担持体）３２ａの表面にレーザ光を選択的に照射して露光走査することにより、その画像
データに基づく静電潜像をその感光体ドラム３２ａの表面上に形成（作像）する。現像ロ
ータリーユニット３３は、この感光体ドラム３２ａ上の静電潜像をイエロー（Ｙ）、シア
ン（Ｃ）、マゼンダ（Ｍ）、ブラック（Ｋ）のトナーにより現像する各色毎の現像カート
リッジ３７を挿脱（着脱）可能に収納しており、静電潜像を形成する画像データに応じた
現像カートリッジ（現像器）３７を感光体ドラム３２ａに対面する現像位置Ｐ２に位置さ
せて、収容するトナーを付着させることによりその静電潜像をトナー現像する。
【００４２】
中間転写ベルト３４は、感光体ドラム３２ａに対面する転写位置Ｐ３で、例えば、モノ
クロ画像の場合、その感光体ドラム３２ａ上に形成されたブラック（Ｋ）のトナーによる
トナー像を一次転写されることにより受け取って、そのベルト表面に記録用紙上に転写す
るトナー画像（トナー像）を保持する。また、この中間転写ベルト３４は、カラー画像の
場合、感光体ドラム３２ａ上に形成されたイエロー（Ｙ）、シアン（Ｃ）、マゼンダ（Ｍ
）のトナーによるトナー像を順次に（順序はこれに限らない）そのベルト表面に重ねるよ
うに転写位置Ｐ３で受け取って、記録用紙上に転写するカラーのトナー画像を形成して保
持する。転写ローラ３５は、この中間転写ベルト３４との間（画像の記録形成位置Ｐ１）
に給送されてきた記録用紙を挟むように圧接（ニップ）して挟持搬送することにより、そ
のトナー画像を記録用紙に二次転写させる。なお、トナーは部材間のバイアス電圧に従っ
て現像カートリッジ３７から感光体ドラム３２ａや中間転写ベルト３４を介して記録用紙
に乗り移る。
【００４３】
定着ローラ対３６は、画像の記録形成位置Ｐ１から搬送されてきた記録用紙に加熱圧接
することにより、現像位置Ｐ２や転写位置Ｐ３で現像・転写されたトナー画像を定着させ
るとともに、その記録用紙をさらに下流側へと挟持搬送する。これにより、記録用紙は、
受け取った画像データに基づくモノクロ画像またはカラー画像が片面側または両面側に記
録形成（定着）され、このような動作を繰り返すことにより、複数枚に連続して画像を記
録形成することができる。
【００４４】
なお、感光体ドラム３２ａは、中間転写ベルト３４に転写した後に残留するトナーが不
図示のクリーニング装置により除電されて回収され、この後に、帯電器により現像ロータ
リーユニット３３の現像カートリッジ３７からトナーを受け取って付着させる電位に帯電
される。また、中間転写ベルト３４も同様に、除電・帯電されてトナーの転写（付着）・
回収が繰り返される。さらに、この回収時に飛散するトナーは、吸引ファン３８が排気ダ
クト３９を介して装置本体側を吸引することにより、その排気ダクト３９に取り付けられ
ているフィルタ３９ａで捕集する。
【００４５】
そして、現像ロータリーユニット３３は、回転軸３３ａを中心に回転する区画フレーム
３３ｂにより区画されている収納位置内に、感光体ドラム３２ａ表面の静電潜像をトナー
現像する現像カートリッジ３７が複数収納（装着）されることにより構成されている。こ
の現像ロータリーユニット３３は、エンジン制御部１２のＣＰＵ（制御部）１３がコント
ローラ部１１を介して受け取ったパーソナルコンピュータＰＣからの画像データを含む印
字命令に基づいて回転軸３３ａを中心に回転させることにより、感光体ドラム３２ａに対
面させる現像位置Ｐ２の現像カートリッジ３７を切り換えて、記録用紙の片面または両面
に転写して画像形成するトナー像を現像する。
【００４６】
例えば、この画像形成装置は、イエロー（Ｙ）、シアン（Ｃ）、マゼンダ（Ｍ）、ブラ
ック（Ｋ）の各色トナーを収容する現像カートリッジ３７を現像ロータリーユニット３３
内に収納するとともに、この現像ロータリーユニット３３を回転させて感光体ドラム３２
ａ上の静電潜像を現像する現像カートリッジ３７を、その各色の収容トナーを色重ねした
り選択するように切り換えることにより、カラー画像から単色画像までを形成可能な装置
として利用することができる。
【００４７】
また、この画像形成装置は、すべての現像カートリッジ３７内に同色のトナーを収容し
て現像ロータリーユニット３３に収納しても画像形成可能に構成されており、例えば、同
色のブラック（Ｋ）のトナーを収容する４本の現像カートリッジ３７を装着することがで
きる。この場合には、現像ロータリーユニット３３を回転して感光体ドラム３２ａ上の静
電潜像を現像する現像カートリッジ３７を順次に切り換えてモノクロ画像を連続印字して
形成する専用機として利用することができ、例えば、受け取った画像データに応じて現像
カートリッジ３７を適宜切り換えて快適な画像形成動作を実行することができる。
【００４８】
そして、現像カートリッジ３７は、図３に示すように、容器４１と、現像ローラ４２と
、供給ローラ４３と、を備えている。容器４１は、現像ロータリーユニット３３の区画フ
レーム３３ｂにより区画された各収納空間（位置）内に収納可能に相似形状に形成されて
トナーＴを収容する。現像ローラ４２は、現像ロータリーユニット３３の回転軸３３ａか
ら離隔する容器４１の外周側に回転可能に支持されており、供給ローラ４３から受け渡さ
れるトナーＴを対面する感光体ドラム３２ａに付着させる。供給ローラ４３は、現像ロー
タリーユニット３３の回転軸３３ａ側で現像ローラ４２に隣接するように容器４１に回転
可能に支持されており、その現像ローラ４２に圧接回転することにより周囲のトナーＴを
供給する。この現像カートリッジ３７の容器４１は、供給ローラ４３の隣接位置に仕切り
板４１ａが設置されており、この仕切り板４１ａは、回転軸３３ａ側の空間と供給ローラ
４３の設置空間の上部を連通させる状態で容器４１内のトナーＴの収容空間を仕切ってい
る。すなわち、供給ローラ４３は、現像ローラ４２の外周面４２ａにトナーＴを供給する
一般的な供給手段を構成する。この供給手段は、このようなローラ形式に限らずに、他の
方式によりトナーＴを供給するものであってもよいことはいうまでもない。
【００４９】
この構成により、現像カートリッジ３７は、仕切り板４１ａにより仕切られた容器４１
の外周側の空間内のトナーＴを、供給ローラ４３が圧接回転する現像ローラ４２に供給す
る。また、この現像カートリッジ３７は、現像ロータリーユニット３３が図１における反
時計回り方向に９０度ずつ回転して１８０度回転したときには、容器４１の回転軸３３ａ
側および供給ローラ４３側の収容トナーＴを仕切り板４１ａの上部（図１中における下方
）で一緒にした後に、さらに９０度ずつ回転することにより容器４１内の収容トナーＴを
攪拌してリフレッシュさせるとともに、その収容トナーＴを現像ローラ４２に供給可能に
供給ローラ４３側に集める。すなわち、このように回転する現像ロータリーユニット３３
に装着する現像カートリッジ３７においては、その回転により収容トナーＴが供給ローラ
４３側に攪拌されつつ補給されるので、収容トナーＴを攪拌・補給などする調整動作を行
うための調整装置（所謂、アジテータ装置やオーガー装置）を適宜省略することができる
。ただし、この現像カートリッジ３７は、調整装置を省略する場合には、少なくとも現像
ローラ４２に供給するトナーＴが供給ローラ４３の周囲からなくなる前に、例えば、トナ
ーカウンターによるカウント値、画像のドット数、積算する現像動作（画像形成）時間、
積算する現像枚数、あるいは実測するトナーＴの残量などにより検出するトナーＴの使用
量が予め設定されている値を超えたときに、現像ロータリーユニット３３を回転させてト
ナーＴの補給・攪拌動作を行う必要がある。
【００５０】
また、この現像カートリッジ３７は、現像位置Ｐ２で感光体ドラム３２ａに対面させる
ために現像ローラ４２を容器４１内から露出させており、この現像ローラ４２の外周面４
２ａと容器４１の開口部との間に画成される隙間には、付勢部材４４ａにより付勢されて
その外周面４２ａに圧接するシール部材４４と、付勢部材４５ａにより付勢されてその外
周面４２ａに圧接する規制ブレード４５と、が配置されている。シール部材４４は、トナ
ーＴが容器４１外に漏れることを防止するとともに、現像位置を通過した現像ローラ４２
の外周面４２ａ上のトナーＴを掻き落とすことなく容器４１内に回収する。また、規制ブ
レード４５は、先端側のエッジよりも後端側の平面部を現像ローラ４２の外周面４２ａの
表面に圧接させるように調整することにより、その外周面４２ａに付着するトナーＴを先
端側エッジで掻き落としつつその厚さが一定になるように規制する。ここで、この現像ロ
ーラ４２の外周面４２ａ上のトナーＴは、規制ブレード４５に予め設定されている帯電電
圧を印加することにより帯電させるようになっており、供給ローラ４３が現像ローラ４２
に圧接回転する際にも多少摩擦帯電する。
【００５１】
さらに、中間転写ベルト３４は、一次転写プーリ５１と、二次転写プーリ５２と、従動
プーリ５３と、テンションプーリ５４、５５と、に巻き掛けられたエンドレスベルト状に
形成されている。一次転写プーリ５１は、現像された感光体ドラム３２ａ上のトナー像を
中間転写ベルト３４に一次転写される転写位置Ｐ３に配置されており、その中間転写ベル
ト３４の背面側で感光体ドラム３２ａに対面している。二次転写プーリ５２は、一次転写
された中間転写ベルト３４上のトナー像を転写ローラ３５との間の記録用紙に二次転写し
て画像を記録形成する記録形成位置Ｐ１に配置されており、その中間転写ベルト３４の背
面側で転写ローラ３５に対面している。従動プーリ５３は、この二次転写プーリ５２の反
対側に配置されており、その中間転写ベルト３４の回転に従動回転する。テンションプー
リ５４、５５は、二次転写プーリ５２と従動プーリ５３の間の中間転写ベルト３４の両側
に配置されており、その中間転写ベルト３４が位置ずれ等を起こさないようにその背面側
からテンションを掛けている。
【００５２】
この中間転写ベルト３４は、例えば、一側辺側の平面方向外方に突出する不図示の突片
（所謂、シム）が配設されており、この突片をセンサ５６が一回転毎に検出することによ
り、エンジン制御部１２のＣＰＵ１３が感光体ドラム３２ａの回転や記録用紙の搬送と同
期するように回転駆動を制御する。これにより、中間転写ベルト３４は、転写ローラ３５
に対面する画像の記録形成位置Ｐ１に搬送されてきた記録用紙に対面するとともに、感光
体ドラム３２ａに対面する転写位置Ｐ３の間の経路を繰り返し循環するように回転駆動し
て、その感光体ドラム３２ａ上に形成された各色トナーによるトナー像を転写位置Ｐ３で
受け取って、画像の記録形成位置Ｐ１の記録用紙に転写する。
【００５３】
このように、中間転写ベルト３４が循環回転するのに対して、現像ロータリーユニット
３３は、特に、カラー画像を形成する際には、トナー像を現像する現像カートリッジ３７
を順次に切り換える必要がある。このため、この中間転写ベルト３４は、カラー画像を形
成する記録用紙のサイズよりも長めに設定されて、その記録用紙に転写するトナー像を保
持するのに対して、現像ロータリーユニット３３は、その中間転写ベルト３４上のトナー
像の後端と先端との間が回転移動する間に（記録用紙の後端と先端との間、所謂、紙間に
）現像カートリッジ３７の切換動作を完了させる必要がある。
【００５４】
また、現像カートリッジ３７には、不揮発性メモリ４６と、現像側コネクタ４７とが個
々に内蔵されており、現像ロータリーユニット３３本体側には、制御側コネクタ４８が配
置されている。不揮発性メモリ４６は、製造番号等の識別情報と共に、その現像カートリ
ッジ３７自体の装着回数やリサイクル回数に加えて、収容するトナーの色や製造年月日や
消費量などの各種情報を書換可能に記憶しており、現像側コネクタ４７が、それぞれ不揮
発性メモリ４６に接続されて記憶する情報の読出や書換を行う。制御側コネクタ４８は、
現像ローラ４２が感光体ドラム３２ａに対面する現像位置Ｐ２から９０度反時計回り方向
に回転した現像カートリッジ３７の現像側コネクタ４７に対面するように、現像ロータリ
ーユニット３３の内壁面に移動しないように設置されており、現像動作した後の現像カー
トリッジ３７の現像側コネクタ４７に対面して、各種情報を非接触通信してやり取りする
。これにより、制御ユニット１０のエンジン制御部１２は、現像ロータリーユニット３３
の収納位置に収納された現像カートリッジ３７の有無や位置などと共に、その現像カート
リッジ３７のトナーの色情報などの各種情報を適宜把握して、最適な現像カートリッジ３
７の切換制御を含む画像形成制御を実行する。
【００５５】
このエンジン制御部１２のＣＰＵ１３は、電源投入後にはＲＯＭ１４内の制御プログラ
ムに従って各種制御動作を実行するようになっており、電源投入時や現像カートリッジ３
７の交換時には、コネクタ４７、４８を介する非接触通信を行うことにより、現像ロータ
リーユニット３３の収納位置における現像カートリッジ３７の有無やその装着回数やリサ
イクル回数などを本体メモリ１５内に保持（記憶）する。また、このＣＰＵ１３は、コネ
クタ４７、４８を介して各現像カートリッジ３７の不揮発性メモリ４６内に書き込まれて
いる各種情報を順次に読み出して、現像カートリッジ３７毎の位置情報やトナーの色情報
や消費量（残量）などを本体メモリ１５内に保持する。さらに、このＣＰＵ１３は、画像
形成動作中や画像形成終了後には、その画像形成により消費したトナー量などの各種情報
をコネクタ４７、４８を介して各現像カートリッジ３７の不揮発性メモリ４６内に書き込
んで書き換える。
【００５６】
例えば、ＣＰＵ１３は、同色のブラック（Ｋ）のトナーを収容する４本の現像カートリ
ッジ３７が現像ロータリーユニット３３に装着されている場合には、モノクロ画像を形成
する画像データの印字命令を受ける度に、図４に示すように、現像ロータリーユニット３
３に装着された現像カートリッジ３７を順次に切り換えて、不揮発性メモリ４６内の各種
情報を書き換えつつ、現像ローラ４２や供給ローラ４３などを予め設定されている駆動タ
イミングで回転駆動させることにより、均一なトナー像を感光体ドラム３２ａ上に形成し
て中間転写ベルト３４を介して高品質な画像を記録用紙に形成する。すなわち、ＣＰＵ１
３は、情報書換手段を構成して、現像ロータリーユニット３３が９０度反時計回り方向に
回転することにより現像動作の終了した現像カートリッジ３７の不揮発性メモリ４６内の
情報を書き換えるようになっており、この不揮発性メモリ４６内の書換動作時には、次の
現像カートリッジ３７の現像ローラ４２が感光体ドラム３２ａに対面して回転動作可能な
状態になって、次の画像形成時における現像動作を行う前に空回転させる。
【００５７】
具体的には、現像ロータリーユニット３３は、ＣＰＵ１３がコントローラ部１１から画
像データを受け取っていない現像動作の待機時には、図５（ａ）に示すように、ホームポ
ジション（ＨＰ）に位置しており、この位置では、カラー画像を形成可能に複数色のトナ
ーを収容する現像カートリッジ３７を収納する場合と同様に、ブラック（Ｋ）のトナーを
収容する現像カートリッジ３７Ｋ１の現像ローラ４２が、感光体ドラム３２ａに対面する
現像位置Ｐ２から略１２０度反時計回りに回転して（現像カートリッジ３７Ｋ１が倒立す
る姿勢になって）、すべての現像カートリッジ３７の現像ローラ４２などが不図示の駆動
ギヤ列から外れ状態になっている。ここで、図５（ａ）には、カラー画像を形成可能に現
像ロータリーユニット３３内に現像カートリッジ３７を収納する場合、ブラック（Ｋ）の
トナーの現像カートリッジ３７をＫ１として図示し、同様に、マゼンダ（Ｍ）のトナーの
現像カートリッジ３７をＫ２、シアン（Ｃ）のトナーの現像カートリッジ３７をＫ３、イ
エロー（Ｙ）のトナーの現像カートリッジ３７をＫ４として図示している。
【００５８】
この待機時に、ＣＰＵ１３が記録用紙にモノクロ画像を記録形成する画像データの印字
命令をコントローラ部１１から受け取ると、感光体ドラム３２ａおよび中間転写ベルト３
４などの駆動を開始するのに続けて、その中間転写ベルト３４の突片（シム）を検出する
センサ５６からのセンサ信号（Ｖｓｙｎｃ）に、現像カートリッジ３７による現像動作を
同期させるように現像ローラ４２を駆動させる。このとき、その待機直前の画像形成動作
では、現像カートリッジ３７Ｋ４を使用して画像形成（現像）していた場合には、現像ロ
ータリーユニット３３は、まず、図５（ｂ）に示すように、そのホームポジションからそ
の現像カートリッジ３７Ｋ４に隣接する現像カートリッジ３７Ｋ１を、感光体ドラム３２
ａに対面する現像位置Ｐ２まで反時計回りに回転させるようになっており、その現像位置
Ｐ２で現像ローラ４２などを駆動ギヤ列に噛合させた後に、その現像ローラ４２を回転駆
動させて外周面４２ａ上のトナーを感光体ドラム３２ａ上の静電潜像に付着させてトナー
現像する。
【００５９】
このＣＰＵ１３は、現像カートリッジ３７Ｋ１を使用しての現像動作が終了する前に、
言い換えると、画像形成が終了する前に次の画像データの印字命令を受け取ると、そのま
ま１ジョブとして連結処理するようになっており、現像ロータリーユニット３３を回転さ
せることなく、そのまま現像カートリッジ３７Ｋ１を使用してモノクロ画像を連続印字す
る。このとき、ＣＰＵ１３は、図４に示すように、２枚の記録用紙への画像形成を１ジョ
ブとして、その現像カートリッジ３７Ｋ１による現像動作が終了すると、図５（ｃ）に示
すように、現像ロータリーユニット３３を反時計回りに９０度回転させて、現像カートリ
ッジ３７Ｋ１の現像側コネクタ４７を本体側の制御側コネクタ４８に非接触通信可能に対
面させて、現像ローラ４２の駆動時間やトナーの消費量を積算して不揮発性メモリ４６内
の記憶情報を書き換える。また、このときには、その現像カートリッジ３７Ｋ１に隣接す
る次の現像カートリッジ３７Ｋ２が、現像ローラ４２が感光体ドラム３２ａに対面する現
像位置Ｐ２に位置するので、ＣＰＵ１３は、その現像カートリッジ３７Ｋ１の不揮発性メ
モリ４６内の記憶情報の書換動作と並行して、現像位置Ｐ２に位置する現像カートリッジ
３７Ｋ２の現像ローラ４２を回転駆動（空回転）させてその外周面４２ａ上にトナーを補
給・リフレッシュさせる。
【００６０】
これにより、短時間の待機でも、画像形成動作の最終ページの現像後には、次に使用す
る現像カートリッジ３７Ｋ２の現像ローラ４２の外周面４２ａ上のトナーの厚さや帯電量
などにムラがあったとしても、待機後に受け取る画像データの画像形成動作を開始する前
に、前もって、その現像ローラ４２を空回転させてそのトナーのムラを解消して均一にし
ておくことができ、画像形成動作開始時から感光体ドラム３２ａ上の静電潜像を高品質に
現像することができる。ここで、現像カートリッジ３７の現像ローラ４２は、その外周面
４２ａ上のトナーの厚さや帯電量などが均一になるように１回転させるだけでもよいが、
そのブラック（Ｋ）のトナーの帯電効率を考慮すると、時間が許すのであれば、２回転以
上させるのが好適である。
【００６１】
この後に、ＣＰＵ１３は、現像ロータリーユニット３３を反時計回り方向に回転させて
、現像カートリッジ３７Ｋ１の現像ローラ４２が最下の位置で倒立する姿勢となる図５（
ａ）に示すホームポジションに移動して待機状態に移行する。
【００６２】
そして、この待機時にＣＰＵ１３が記録用紙にモノクロ画像を記録形成する画像データ
の印字命令をコントローラ部１１から受け取ると、図４に示すように、同様に、この待機
直前の画像形成動作では、現像カートリッジ３７Ｋ１を使用して画像形成（現像）してい
たので、現像ロータリーユニット３３は、まず、図６（ａ）に示すように、ホームポジシ
ョンからその現像カートリッジ３７Ｋ１に隣接する現像カートリッジ３７Ｋ２を、感光体
ドラム３２ａに対面する現像位置Ｐ２まで反時計回りに回転させて、その現像ローラ４２
などを駆動ギヤ列に噛合させることにより、その現像ローラ４２を回転駆動させて外周面
４２ａ上のトナーを感光体ドラム３２ａ上の静電潜像に付着させてトナー現像する。
【００６３】
そして、ＣＰＵ１３は、２ジョブ目の２枚の記録用紙への画像形成（現像カートリッジ
３７Ｋ２による現像動作）が終了すると、図６（ｂ）に示すように、現像ロータリーユニ
ット３３を反時計回りに９０度回転させてコネクタ４７、４８を介して現像カートリッジ
３７Ｋ２の不揮発性メモリ４６内の記憶情報を書き換えるのと並行して、次に使用する現
像カートリッジ３７Ｋ３の現像ローラ４２を現像位置Ｐ２で回転駆動（空回転）させるこ
とにより、その外周面４２ａ上のトナーの補給・リフレッシュを行った後に、図５（ａ）
に示すホームポジションに移動させて待機状態に移行する。
【００６４】
したがって、現像ローラ４２の最終回転付近でトナー現像を行っていてその外周面４２
ａ上のトナーにその厚さや帯電量などにムラがある場合でも、その現像ローラ４２を使用
して現像を開始する前に、前もってその現像ローラ４２を空回転させることにより、その
外周面４２ａ上に均等なトナーを付着させておくことができ、トナー現像を高品質に行い
得る状態にすることができる。この現像ローラ４２の空回転は、専用時間を特別に確保す
ることなく、現像ロータリーユニット３３の回転方向に隣接する現像カートリッジ３７の
不揮発メモリ４６内の情報の書換動作と並行して行うことができ、次の画像形成動作開始
時から感光体ドラム３２ａ上の静電潜像を高品質に現像することができる。
【００６５】
このように本実施形態においては、ブラック（Ｋ）のトナーを収容する４本の現像カー
トリッジ３７が現像ロータリーユニット３３に装着されて、繰り返しモノクロ画像を連続
印字する場合でも、現像カートリッジ３７の現像ローラ４２は、その外周面４２ａ上のト
ナーの厚さや帯電量にムラが生じたまま待機（停止）して、そのまま次の画像形成（現像
）動作を開始してしまうことなく、その次の画像形成動作の開始前に、その現像ローラ４
２を空回転させることができる。したがって、現像カートリッジ３７の現像ローラ４２は
、その外周面４２ａ上に均等にトナーが付着して帯電する状態で待機させることができ、
その待機時間が短い場合にも、感光体ドラム３２ａ上の静電潜像をブラック（Ｋ）のトナ
ーにより高品質にトナー現像することができる。
【００６６】
本実施形態の他の態様としては、他の条件に応じて本実施形態のようなトナーのリフレ
ッシュ・補給を実行するようにしても良い。要するに、現像カートリッジ３７の現像ロー
ラ４２の外周面４２ａ上に付着するブラック（Ｋ）のトナーの厚さや帯電量のムラが問題
であり、例えば、周囲の環境である温湿度が非常に高いためにトナーの帯電特性が低下（
劣化）する場合や、長期間に亘って現像カートリッジ３７内に収容されて繰り返し現像ロ
ーラ４２と供給ローラ４３との間で圧接されるなどしてトナーの特性が劣化した場合に、
そのようなムラが生じやすくなることから、これらの条件の閾値を越えている場合に、本
実施形態のトナーのリフレッシュ・補給を実行したり、その制御動作における現像ローラ
４２の設定回転数を上げるようにしても良い。
【００６７】
具体的には、温湿度センサを設けて、そのセンサにより検出する周囲環境の温湿度が閾
値を越えた場合に、または、不揮発性メモリ４６内に格納する現像カートリッジ３７の装
着回数やリサイクル回数が閾値を越えていて、外気に曝されている時間が長くなって吸湿
することにより帯電特性が低下していたり、現像ローラ４２の駆動時間やトナーの消費量
が閾値を越えていて摩擦による帯電特性が低下している場合に、その現像ローラ４２の外
周面４２ａ上に均等なトナーを付着させることができない状態になる可能性があるとして
、ＣＰＵ１３が現像ローラ４２の空回転を実行する。
【００６８】
すなわち、この場合には、温湿度センサやＣＰＵ１３がトナーの劣化情報を取得する手
段として機能して、現像カートリッジ３７の現像ローラ４２を空回転させることができ、
無闇に現像ローラ４２を空回転させて収容トナーを劣化させることなく、トナーの帯電特
性が低下した場合に、現像ローラ４２を空回転させてその外周面４２ａ上に均等なトナー
を付着させて、高品質なトナー現像を実行することができる。
【産業上の利用可能性】
【００６９】
これまで本発明の一実施形態について説明したが、本発明は上述の実施形態に限定され
ず、その技術的思想の範囲内において種々異なる形態にて実施されてよいことは言うまで
もない。
【００７０】
例えば、上述実施形態では、待機直前に使用した現像カートリッジ３７に隣接して、不
揮発メモリ４６内の情報の書換動作を行う際に現像位置Ｐ２に位置する次の現像カートリ
ッジ３７の現像ローラ４２を空回転させているが、これに限らずに、不揮発メモリ４６の
書換位置が現像位置Ｐ２の対角位置などに配置されている場合にも好適に適用することが
できる。
【００７１】
また、上述実施形態では、待機前に現像カートリッジ３７の現像ローラ４２を空回転さ
せているが、これに限らずに、画像形成動作を開始する直前に、使用する現像カートリッ
ジ３７の現像ローラ４２を空回転させてもよいことは言うまでもない。
【００７２】
さらに、現像ロータリーユニット３３に複数の現像カートリッジ３７をセットするとと
もに、感光体ドラム３２ａ上に形成したトナー画像を記録用紙に転写する中間転写ベルト
３４を備える画像形成装置の場合を一例として説明するが、これに限るものではなく、感
光体ドラムから直接記録用紙にトナー画像を転写形成する装置でも適用することができる
ことは言うまでもない。
【００７３】
そして、上述実施形態では、特に説明していないが、上記文献１に記載のように、長時
間放置される場合に、現像カートリッジ３７の現像ローラ４２を空回転させて、高品質な
トナー現像を実現するのが好適であることは言うまでもない。
【００７４】
また、上述実施形態では、ブラック（Ｋ）のトナーを収容する４本の現像カートリッジ
３７を現像ロータリーユニット３３に装着して、繰り返しモノクロ画像を連続印字する場
合を説明するが、カラー画像を形成する場合にも、その画像形成終了後と次の画像形成開
始前の一方または双方のタイミングに、現像カートリッジ３７の現像ローラ４２を空回転
させるようにしてもよい。
【図面の簡単な説明】
【００７５】
【図１】本発明に係る画像形成装置の一実施形態を示す図であり、その概略全体構成を示す透視正面図である。
【図２】その制御部を説明する関係ブロック図である。
【図３】その要部構成を示す縦断面図である。
【図４】その駆動制御を説明するタイミングチャートである。
【図５】その駆動制御時における現像ロータリーユニットの回転位置を示す状態図である。
【図６】その駆動制御時における現像ロータリーユニットの回転位置を示す状態図である。
【符号の説明】
【００７６】
１０    制御ユニット
１１    コントローラ部
１２    エンジン制御部
１５    本体メモリ
２０    用紙搬送装置
２１    用紙カセット
２２    排紙テーブル
２５    レジストローラ対
３０    画像記録装置
３１    露光ユニット
３２ａ    感光体ドラム
３３    現像ロータリーユニット
３４    中間転写ベルト
３５    転写ローラ
３６    定着ローラ対
３７    現像カートリッジ
４１    容器
４２    現像ローラ
４３    供給ローラ
４４    シール部材
４５    規制ブレード
４６    不揮発性メモリ
４７    現像側コネクタ
４８    制御側コネクタ
Ｐ１    記録形成位置
Ｐ２    現像位置
Ｐ３    転写位置
【図１】
2006126555.tif 000003
【図２】
2006126555.tif 000004
【図３】
2006126555.tif 000005
【図４】
2006126555.tif 000006
【図５】
2006126555.tif 000007
【図６】
2006126555.tif 000008